(57)【要約】【課題】利便性を確保しつつ、住宅設備機器の運転が無駄に継続してしまうのを防止することができる運転制御システムを提供する。【解決手段】住宅設備機器１の運転制御システムの制御部（サーバ１０等）は、住宅設備機器１の運転状態で、携帯端末１２の位置が、自宅位置ＰＡＨを含む所定領域ＡＲＨから逸脱した状態になった場合に、住宅設備機器１の運転を停止させ、住宅設備機器１の運転状態で、携帯端末１２の位置が、所定領域ＡＲＨ内のうちの自宅位置ＰＡＨの外側位置となっている状態が所定時間継続した場合に、住宅設備機器１の運転を停止させる。【選択図】図４
2019041157.tif 000002
【特許請求の範囲】
【請求項１】
住宅設備機器のユーザが使用する携帯端末の位置情報を該携帯端末との通信によって取得可能であり、当該取得した該携帯端末の位置情報により示される該携帯端末の位置と、あらかじめ登録された前記ユーザの住宅の位置である自宅位置との位置関係に基づいて、前記住宅設備機器の作動を制御する機能を有する制御部を備えており、
前記制御部は、前記住宅設備機器の運転状態で、前記携帯端末の位置情報により示される該携帯端末の位置が、前記自宅位置を含む所定領域から逸脱した状態になった場合に、前記住宅設備機器の運転を停止させるように該住宅設備機器を制御する機能と、前記住宅設備機器の運転状態で、前記携帯端末の位置情報により示される該携帯端末の位置が、前記所定領域内のうちの前記自宅位置の外側位置となっている状態が所定時間継続した場合に、前記住宅設備機器の運転を停止させるように該住宅設備機器を制御する機能とを有するように構成されていることを特徴とする住宅設備機器の運転制御システム。
【請求項２】
請求項１記載の住宅設備機器の運転制御システムにおいて、
前記制御部は、前記住宅設備機器の運転状態で、前記携帯端末の位置情報により示される該携帯端末の位置が前記自宅位置にある状態が所定時間継続した場合に、前記住宅内に配置されている報知部から報知出力を発生させるように該報知部を制御し、さらに、該報知出力の発生後に、前記住宅内に配置されている操作部に対する所定の操作が行われることを必要条件として、前記住宅設備機器の運転を継続させ、該報知出力の発生後に、前記所定の操作が行われない場合には前記住宅設備機器の運転を停止させるように該住宅設備機器を制御する機能をさらに有するように構成されていることを特徴とする住宅設備機器の運転制御システム。
【請求項３】
住宅設備機器のユーザが使用する携帯端末の位置情報を該携帯端末との通信によって取得可能であり、当該取得した該携帯端末の位置情報により示される該携帯端末の位置と、あらかじめ登録された前記ユーザの住宅の位置である自宅位置との位置関係に基づいて、前記住宅設備機器の作動を制御する機能を有する制御部を備えており、
前記制御部は、前記住宅設備機器の運転状態で、前記携帯端末の位置情報により示される該携帯端末の位置が前記自宅位置にある状態が所定時間継続した場合に、前記住宅内に配置されている報知部から報知出力を発生させるように該報知部を制御し、さらに、該報知出力の発生後に、前記住宅内に配置されている操作部に対する所定の操作が行われることを必要条件として、前記住宅設備機器の運転を継続させ、該報知出力の発生後に、前記所定の操作が行われない場合には前記住宅設備機器の運転を停止させるように該住宅設備機器を制御する機能を有するように構成されていることを特徴とする住宅設備機器の運転制御システム。
【請求項４】
請求項２又は３記載の住宅設備機器の運転制御システムにおいて、
前記制御部は、前記報知出力を発生させるように前記報知部を制御することを、前記住宅設備機器の運転が所定の時間帯で行われている状態では、実行しないように構成されていることを特徴とする住宅設備機器の運転制御システム。
【発明の詳細な説明】
【技術分野】
【０００１】
本発明は、住宅設備機器の運転制御を行うシステムに関する。
【背景技術】
【０００２】
従来、例えば特許文献１，２に見られるように、ユーザの携帯端末（ＧＰＳ機能を有する携帯端末）の位置情報を利用して、住宅設備機器の運転の開始、あるいは、運転の停止を行うようにしたシステムが知られている。
【０００３】
この種のシステムでは、ユーザの携帯端末から取得される位置情報によって、該携帯端末が、ユーザの自宅位置の周辺の所定の領域内に進入したことが検知されたときに、空調装置等の住宅設備機器の運転を開始し、あるいは、該携帯端末が、上記所定の領域内から出たことが検知されたときに、空調装置等の住宅設備機器の運転を停止すること等が行われる。
【０００４】
かかる技術によれば、ユーザが住宅設備機器を運転させたまま外出しても、携帯端末を所持したユーザが、ユーザの自宅周辺の所定の領域の外側まで移動すれば、住宅設備機器の運転を自動的に停止させることができる。
【先行技術文献】
【特許文献】
【０００５】
【特許文献１】特開２００４−１０４２９５号公報
【特許文献２】特開２００２−２１８５６０号公報
【発明の概要】
【発明が解決しようとする課題】
【０００６】
しかしながら、携帯端末を所持したユーザが、自宅の外の上記所定の領域内で、散歩をしたり、近所の人との立ち話をしたり、あるいは清掃等の作業を行う場合もある。そして、この場合、ユーザが自宅内に居ない時間が比較的長くなる場合もある。
【０００７】
このような場合、前記特許文献１，２に見られる如き従来の技術では、ユーザが自宅内に居ない時間が長くなっても、ユーザの携帯端末の位置が上記所定の領域内の位置であるために、住宅設備機器の運転が継続してしまう。このため、ユーザの住宅設備機器の無駄なエネルギー消費が発生してしまう。
【０００８】
このような不都合を解消するためには、例えばユーザの携帯端末の位置が自宅の外であることを検知した場合に、住宅設備機器の運転を停止することが考えられる。しかるにこの場合には、ユーザが自宅の周辺に外出する時間が短い場合でも、住宅設備機器が停止されてしまい、却って、不便なものとなってしまいやすい。
【０００９】
また、ユーザが、住宅設備機器を運転させたまま、携帯端末を所持せずに、外出してしまう場合もある。このような場合も、ユーザの携帯端末の位置が自宅内の位置（前記所定の領域内の位置）であるため、住宅設備機器の運転が継続してしまい、該住宅設備機器の無駄なエネルギー消費が発生してしまう。
【００１０】
本発明はかかる背景に鑑みてなされたものであり、利便性を確保しつつ、住宅設備機器の運転が無駄に継続してしまうのを防止することができる運転制御システムを提供することを目的とする。
【課題を解決するための手段】
【００１１】
本発明の住宅設備機器の運転制御システムは、上記の目的を達成するために、住宅設備機器のユーザが使用する携帯端末の位置情報を該携帯端末との通信によって取得可能であり、当該取得した該携帯端末の位置情報により示される該携帯端末の位置と、あらかじめ登録された前記ユーザの住宅の位置である自宅位置との位置関係に基づいて、前記住宅設備機器の作動を制御する機能を有する制御部を備えており、
前記制御部は、前記住宅設備機器の運転状態で、前記携帯端末の位置情報により示される該携帯端末の位置が、前記自宅位置を含む所定領域から逸脱した状態になった場合に、前記住宅設備機器の運転を停止させるように該住宅設備機器を制御する機能と、前記住宅設備機器の運転状態で、前記携帯端末の位置情報により示される該携帯端末の位置が、前記所定領域内のうちの前記自宅位置の外側位置となっている状態が所定時間継続した場合に、前記住宅設備機器の運転を停止させるように該住宅設備機器を制御する機能とを有するように構成されていることを特徴とする（第１発明）。
【００１２】
なお、本発明において、「自宅位置」というのは、ピンポイントの位置（点の位置）ではなく、前記所定領域よりも小さい所定サイズの領域であり、且つ、その内側に前記ユーザの住宅が存在する領域として、該住宅の所在地に設定される領域である。このことは、後述の第３発明でも同様である。
【００１３】
上記第１発明によれば、前記制御部は、前記住宅設備機器の運転状態で、前記携帯端末の位置情報により示される該携帯端末の位置が、前記自宅位置を含む所定領域から逸脱した状態になった場合に、前記住宅設備機器の運転を停止させるように該住宅設備機器を制御するだけでなく、前記住宅設備機器の運転状態で、前記携帯端末の位置情報により示される該携帯端末の位置が、前記所定領域内のうちの前記自宅位置の外側位置となっている状態が所定時間継続した場合にも、前記住宅設備機器の運転を停止させる。
【００１４】
これにより、前記携帯端末を所持したユーザが、自宅（前記住宅）の周辺を散歩したり、あるいは、自宅の周辺で近所の人と立ち話をしたり、あるいは、自宅の周辺で清掃等の作業をする場合等、前記所定の領域内で自宅から外出した状態（自宅位置の外側に居る状態）が前記所定時間以上の長い時間となった場合には、前記住宅設備機器の運転が自動的に停止される。ひいては、該住宅設備機器の無駄なエネルギー消費が防止される。
【００１５】
一方、前記所定の領域内で自宅から外出した状態が、前記所定時間よりも短い時間に留まる場合には、前記住宅設備機器の運転を継続することができる。
【００１６】
よって、第１発明によれば、利便性を確保しつつ、住宅設備機器の運転が無駄に継続してしまうのを防止することができる
【００１７】
上記第１発明では、前記制御部は、前記住宅設備機器の運転状態で、前記携帯端末の位置情報により示される該携帯端末の位置が前記自宅位置にある状態が所定時間継続した場合に、前記住宅内に配置されている報知部から報知出力を発生させるように該報知部を制御し、さらに、該報知出力の発生後に、前記住宅内に配置されている操作部に対する所定の操作が行われることを必要条件として、前記住宅設備機器の運転を継続させ、該報知出力の発生後に、前記所定の操作が行われない場合には前記住宅設備機器の運転を停止させるように該住宅設備機器を制御する機能をさらに有するように構成されていることが好ましい（第２発明）。
【００１８】
これによれば、前記住宅設備機器の運転状態で、前記携帯端末の位置情報により示される該携帯端末の位置が前記自宅位置にある状態が所定時間継続した場合に、前記住宅内に配置されている報知部から報知出力が発生する。
【００１９】
ここで、ユーザが自宅（前記住宅）に居る場合には、該ユーザは、前記報知出力に応じて、前記操作部に対する所定の操作を行うことができるものの、該ユーザが外出している場合には、前記操作部に対する所定の操作を行うことができない。
【００２０】
従って、前記報知出力の発生後に、前記所定の操作が行われるか否かは、該ユーザが自宅に居るか否かを表す指標となる。
【００２１】
そこで、第２発明では、前記報知出力の発生後に、前記操作部に対する所定の操作が行われることを必要条件として、前記住宅設備機器の運転を継続させ、該報知出力の発生後に、前記所定の操作が行われない場合には前記住宅設備機器の運転を停止させる。
【００２２】
これにより、ユーザが、前記住宅設備機器を運転させたまま、携帯端末を所持せずに、外出した場合に、該住宅設備機器を自動的に停止させることができる。また、ユーザが外出していない場合には、住宅設備機器の運転を継続させることができる。
【００２３】
よって、第２発明によれば、利便性を確保しつつ、住宅設備機器の運転が無駄に継続してしまうのを防止することの効果をより一層高めることができる。
【００２４】
また、本発明の住宅設備機器の運転制御システムの他の態様は、住宅設備機器のユーザが使用する携帯端末の位置情報を該携帯端末との通信によって取得可能であり、当該取得した該携帯端末の位置情報により示される該携帯端末の位置と、あらかじめ登録された前記ユーザの住宅の位置である自宅位置との位置関係に基づいて、前記住宅設備機器の作動を制御する機能を有する制御部を備えており、
前記制御部は、前記住宅設備機器の運転状態で、前記携帯端末の位置情報により示される該携帯端末の位置が前記自宅位置にある状態が所定時間継続した場合に、前記住宅内に配置されている報知部から報知出力を発生させるように該報知部を制御し、さらに、該報知出力の発生後に、前記住宅内に配置されている操作部に対する所定の操作が行われることを必要条件として、前記住宅設備機器の運転を継続させ、該報知出力の発生後に、前記所定の操作が行われない場合には前記住宅設備機器の運転を停止させるように該住宅設備機器を制御する機能を有するように構成されていることを特徴とする（第３発明）。
【００２５】
これによれば、前記第２発明と同様に、ユーザが、前記住宅設備機器を運転させたまま、携帯端末を所持せずに、外出した場合に、該住宅設備機器を自動的に停止させることができる。また、ユーザが外出していない場合には、住宅設備機器の運転を継続させることができる。
【００２６】
よって、第３発明によれば、利便性を確保しつつ、住宅設備機器の運転が無駄に継続してしまうのを防止することができる。
【００２７】
上記第２発明又は第３発明では、前記制御部は、前記報知出力を発生させるように前記報知部を制御することを、前記住宅設備機器の運転が所定の時間帯で行われている状態では、実行しないように構成されていることが好ましい（第４発明）。
【００２８】
ここで、例えばユーザの就寝時間帯では、該ユーザが、意識的に、住宅設備機器の運転を行ったままで、就寝することが多々ある。このような場合に前記報知出力を発生させると、ユーザにとって煩わしいものとなりやすい。また、このような場合には、住宅設備機器の運転を停止することを実行しないことが好ましい。
【００２９】
そこで、第４発明を上記の如く構成した。これによれば、ユーザの就寝時間帯等の所定の時間帯では、前記報知出力が発生しないので、ユーザに煩わしさを及ぼすのを防止できると共に、住宅設備機器の運転を続行することができる。
【図面の簡単な説明】
【００３０】
【図１】本発明の一実施形態の住宅設備機器の運転制御システムの全体構成を示す図。
【図２】実施形態の運転制御システムの作動に関する説明図。
【図３】実施形態の運転制御システムの作動を示すフローチャート。
【図４】実施形態の運転制御システムの作動を示すフローチャート。
【発明を実施するための形態】
【００３１】
本発明の一実施形態を図１〜図４を参照して説明する。本実施形態の運転制御システムの対象とする住宅設備機器は、例えば、あるユーザの住宅Ｈに設置された床暖房装置１である。この床暖房装置１は、温水式の床暖房装置１であり、熱源機２と、床暖房装置１の運転操作を行うためのリモコン３と、熱源機２に温水配管５を介して接続された床暖房放熱部４とを備える。
【００３２】
熱源機２は、例えば、公知の構成の燃焼式の熱源機であり、図示を省略するバーナ（燃焼式加熱源）及び熱交換器等が搭載されている。この熱源機２は、床暖房放熱部４との間で温水配管５を介して温水を循環させつつ、該温水をバーナの燃焼熱により熱交換器を介して加熱するように構成されている。
【００３３】
熱源機２には、さらに該熱源機２の運転制御を行う制御装置２ａが搭載されている。該制御装置２ａは、マイクロコンピュータ、メモリ、インターフェース回路等を含む電子回路ユニットにより構成される。そして、該制御装置２ａは、実装されたハードウェア構成及びプログラム（ソフトウェア構成）によって、熱源機２に搭載された複数の制御機器の作動を制御する機能を有する。
【００３４】
図示は省略するが、当該制御機器には、バーナへの燃料供給路を開閉する電磁弁、該バーナへの燃料供給量を調整する制御弁、バーナに燃焼用空気を供給する燃焼ファン、点火器等の燃焼系の機器と、熱交換器の周辺の通水路を開閉する電磁弁、該通水路の流量を調整する制御弁、温水配管５での温水の循環を行わせる循環ポンプ等の通水系の機器とが含まれる。
【００３５】
なお、熱源機２は、バーナの代わりに、もしくはバーナに加えて、電気式の加熱源を備えるものであってもよい。また、熱源機２は、例えば、給湯装置もしくは風呂装置等、床暖房装置１以外の装置の熱源機を兼ねるものであってもよい。
【００３６】
リモコン３は、床暖房装置１の起動及び停止、暖房温度もしくは暖房の強弱の設定等の操作をユーザが行うための種々の操作スイッチ３ｃを備えると共に、種々の情報を報知するための表示部３ａ及び発音部３ｂを備える。そして、リモコン３は、制御装置２ａと通信を行い得るように該制御装置２ａに有線接続されている。このリモコン３の操作スイッチ３ｃのうちの所定の操作スイッチ３ｃ１（例えば、「決定」スイッチ等）が本発明における操作部に相当し、発音部３ｂ（又は表示部３ａ）は本発明における報知部に相当するものである。
【００３７】
なお、リモコン３を含む複数のリモコンが制御装置２ａに接続されていてもよい。また、熱源機２が、給湯装置もしくは風呂装置等の熱源機を兼ねるものである場合には、リモコン３は、床暖房装置１に加えて、給湯装置又は風呂装置等の他の装置の運転操作も行い得るように構成されていてもよい。
【００３８】
本実施形態では、リモコン３は、インターネット、公衆通信網等により構成される広域ネットワークである外部ネットワークＮＷに接続可能に住宅Ｈに配置されたルータ６と、Wi-Fi（登録商標）、もしくはBluetooth（登録商標）等の通信方式で無線通信を行い得るように構成されており、該ルータ６を介して外部ネットワーク（広域ネットワーク）ＮＷ側と通信を行うことが可能である。
【００３９】
なお、リモコン３は、ＬＡＮケーブル等を介してルータ６と有線通信を行い得るように構成されていてもよい。また、リモコン３は、ルータとしての機能を併せもつように構成されていてもよい。この場合には、ルータ６は不要である。また、ルータ６と外部ネットワークＮＷとの間の通信は、無線通信及び有線通信のいずれでもよい。また、リモコン３と制御装置２ａとの間の通信方式は、有線通信に限らず、Wi-Fi（登録商標）等の無線通信であってもよい。
【００４０】
以上の如く構成された床暖房装置１（住宅設備機器）を運転制御の対象とする本実施形態の運転制御システムは、床暖房装置１のリモコン３、及び床暖房装置１のユーザが使用する携帯端末１２と、外部ネットワークＮＷを介して通信し得るように、該外部ネットワークＮＷに接続されたサーバ１０を含む。
【００４１】
上記携帯端末１２は、スマーフォン、フィーチャーフォン、タブレット端末等により構成され、その起動状態で、無線通信によって外部ネットワークＮＷに接続することが可能な通信端末である。
【００４２】
サーバ１０は、床暖房装置１の制御装置２ａ及びリモコン３と併せて、本発明における制御部を構成するものである。このサーバ１０は、本実施形態では、住宅Ｈを含む複数の住宅のそれぞれの住宅設備機器の運転情報を該住宅設備機器との通信によって取得する機能、各住宅の住宅設備機器のユーザの携帯端末との通信よって取得した情報もしくは指令に応じて、該ユーザの住宅の住宅設備機器の運転に関する指令を該住宅設備機器に送信する機能等を有する。
【００４３】
そして、サーバ１０には、各住宅毎に、住宅設備機器の識別情報、該住宅設備機器のユーザの携帯端末の識別情報、該住宅の所在地情報等があらかじめ登録されている。例えば、住宅Ｈに関しては、住宅設備機器としての床暖房装置１及びそのユーザの携帯端末１２のそれぞれの識別情報、住宅Ｈの所在地情報等がサーバ１０にあらかじめ登録されている。
【００４４】
また、携帯端末１２は、ＧＰＳ機能（ＧＰＳ：Global Positioning System）を有していると共に、サーバ１０との通信用のサービスアプリケーションがあらかじめインストールされている。そして、携帯端末１２は、インストールされたサービスアプリケーションの機能によって、携帯端末１２の位置を示す位置情報を、サーバ１０からの要求に応じて、あるいは、定期的なタイミングで、サーバ１０に送信することが可能となっている。
【００４５】
また、サーバ１０は、携帯端末１２から取得した位置情報に示される該携帯端末１２の位置と、住宅Ｈの所在地情報により示される該住宅Ｈの所在地（床暖房装置１のユーザの自宅位置）との位置関係に応じて、あらかじめ定められた規則に従って、住宅Ｈの床暖房装置１の起動（運転開始）又は停止（運転終了）を指令する指令信号を床暖房装置１のリモコン３に送信する機能を有するように構成されている。
【００４６】
なお、携帯端末１２の位置情報に応じて床暖房装置１の起動又は停止を行うことを実行するか否かは、ユーザがあらかじめサーバ１０に対して指定しておくことが可能である。
【００４７】
次に、携帯端末１２の位置情報に応じた床暖房装置１の作動を説明する。なお、以下に説明する作動は、携帯端末１２の位置情報に応じて床暖房装置１の起動又は停止を行うことが、サーバ１０に対してあらかじめ指定されている場合の作動である。
【００４８】
ユーザの携帯端末１２のサービスアプリケーションが起動されている状態では、携帯端末１２の位置情報（ＧＰＳに基づく位置情報）が、携帯端末１２から外部ネットワークＮＷを介してサーバ１０に逐次送信され、該サーバ１０で受信される。
【００４９】
このとき、床暖房装置１の運転停止中（詳しくは、サーバ１０がリモコン３との通信によって、床暖房装置１が運転停止中であることを認識している状態）においては、図３のフローチャートに示す処理が、サーバ１０と床暖房装置１のリモコン３及び制御装置２ａとの協働によって実行される。
【００５０】
ＳＴＥＰ１において、サーバ１０は、携帯端末１２から受信した位置情報により示される携帯端末１２の位置（以降、端末位置という）が、住宅Ｈの周辺領域である自宅周辺領域ＡＲＨの外側から該自宅周辺領域ＡＲＨの内側に移動したか否かを判断する。
【００５１】
ここで、自宅周辺領域ＡＲＨというのは、図２に示すように、サーバ１０に登録された住宅Ｈの所在地により規定される自宅位置ＰＡＨを中心に有する一定サイズの領域、例えば、一定半径の円形領域である。該自宅周辺領域ＡＲＨは、換言すれば、ユーザの住宅Ｈ（以下、自宅Ｈという）の近辺の領域である。
【００５２】
なお、自宅周辺領域ＡＲＨに含まれる自宅位置ＰＡＨは、ピンポイントの位置（点の位置）ではなく、自宅周辺領域ＡＲＨよりも小さい所定サイズの領域（例えば一定半径の円形領域）であり、且つ、その内側に自宅Ｈが存在する領域として、該自宅Ｈの所在地に設定される領域である。
【００５３】
ＳＴＥＰ１の判断結果が肯定的となる状況は、携帯端末１２を所持したユーザが、外出先からの帰宅途中において、例えば図２の点Ｐ３の位置から点Ｐ２の位置に移動した場合の如き状況である。この場合には、ユーザが自宅Ｈにまもなく到着するとみなし得るので、サーバ１０は、次にＳＴＥＰ３において、自宅Ｈの床暖房装置１の運転（暖房運転）を開始すべき旨の指令を外部ネットワークＮＷを介してリモコン３に送信する。
【００５４】
このとき、当該指令を受信したリモコン３は、当該指令を制御装置２ａに送信する。これに応じて、制御装置２ａは、床暖房装置１の暖房運転を行うように熱源機２を作動させる。これにより床暖房装置１の暖房運転が自動的に開始される。
【００５５】
また、ＳＴＥＰ１の判断結果が否定的となる場合には、サーバ１０は、次に、ＳＴＥＰ２において、携帯端末１２から受信した位置情報により示される端末位置が、自宅位置ＰＡＨの外側から該自宅位置ＰＡＨの内側に移動したか否かを判断する。
【００５６】
ここで、本実施形態では、携帯端末１２を所持したユーザが、自宅周辺領域ＡＲＨ内で自宅Ｈから外出した場合に、後述するように、床暖房装置１の運転が自動的に停止される場合がある。このような状況で、ユーザが、自宅周辺領域ＡＲＨのうちの、自宅位置ＰＡＨの外側の領域（以降、自宅外周辺領域という）から自宅Ｈに帰宅した場合（自宅位置ＰＡＨ内に進入した場合）に、ＳＴＥＰ２の判断結果が肯定的になる。例えば、携帯端末１２を所持したユーザが、図２の点Ｐ２位置から点Ｐ１の位置に移動した場合に、ＳＴＥＰ２の判断結果が肯定的になる。
【００５７】
この場合には、ＳＴＥＰ１の判断結果が肯定的となった場合と同様に、サーバ１０は、次にＳＴＥＰ３において、自宅Ｈの床暖房装置１の暖房運転を開始すべき旨の指令を外部ネットワークＮＷを介してリモコン３に送信し、ひいては、床暖房装置１の暖房運転を開始させる。
【００５８】
また、ＳＴＥＰ２の判断結果が否定的となる場合には、ＳＴＥＰ１からの処理が繰り返される。
【００５９】
床暖房装置１の運転停止中においては、携帯端末１２の位置情報に応じた床暖房装置１の作動は上記の如く実行される。
【００６０】
また、床暖房装置１の運転中（詳しくは、サーバ１０がリモコン３との通信によって、床暖房装置１が運転中であることを認識している状態）においては、図４のフローチャートに示す処理が、サーバ１０と床暖房装置１のリモコン３及び制御装置２ａとの協働によって実行される。
【００６１】
ＳＴＥＰ１１において、サーバ１０は、携帯端末１２から受信した位置情報により示される端末位置が、自宅周辺領域ＡＲＨの外側の位置であるか否かを判断する。
【００６２】
例えば、携帯端末１２を所持したユーザが、外出すべく、自宅Ｈから自宅周辺領域ＡＲＨを通過して、該自宅周辺領域ＡＲＨの外側に移動した場合にＳＴＥＰ１１の判断結果が肯定的になる。
【００６３】
そして、ＳＴＥＰ１１の判断結果が肯定的である場合には、サーバ１０は、次にＳＴＥＰ１４において、自宅Ｈの床暖房装置１の運転を停止すべき旨の指令を外部ネットワークＮＷを介してリモコン３に送信する。
【００６４】
このとき、当該指令を受信したリモコン３は、当該指令を制御装置２ａに送信する。これに応じて、制御装置２ａは、床暖房装置１の暖房運転を停止させるように熱源機２を制御する。これにより床暖房装置１の暖房運転が自動的に停止される。
【００６５】
ＳＴＥＰ１１の判断結果が否定的である場合は、端末位置が、自宅周辺領域ＡＲＨの内側（自宅位置ＰＡＨを含む）にある場合である。この場合には、サーバ１０は、次にＳＴＥＰ１２において、端末位置が自宅位置ＰＡＨの外側の位置（換言すれば、前記自宅外周辺領域の位置）であるか否かを判断する。
【００６６】
例えば、携帯端末１２を所持したユーザが、自宅外周辺領域に位置する場合にＳＴＥＰ１２の判断結果が肯定的になる。そして、ＳＴＥＰ１２の判断結果が肯定的である場合には、サーバ１０は、次に、ＳＴＥＰ１３において、端末位置が自宅周辺領域ＡＲＨの内側で、且つ自宅位置ＰＡＨの外側となる状態（換言すれば、自宅外周辺領域の位置となる状態）が所定時間Ｔ１（例えば１０分）、継続したか否かを判断する。
【００６７】
ここで、携帯端末１２を所持したユーザが、自宅Ｈの周辺を散歩する場合、あるいは、自宅Ｈの周辺で、近所の人等と立ち話をする場合、あるいは、自宅Ｈの周辺で清掃等の作業をする場合等において、ユーザが自宅外周辺領域に居ることとなる継続時間が比較的長くなって、ＳＴＥＰ１３の判断結果が肯定的になる場合がある。
【００６８】
そして、このような状況では、ユーザが自宅Ｈに居ない時間が比較的長いものとなるので、床暖房装置１の暖房運転を継続することは、無駄なエネルギー消費になる。
【００６９】
そこで、ＳＴＥＰ１３の判断結果が肯定的となった場合には、ＳＴＥＰ１１の判断結果が肯定的となった場合と同様に、サーバ１０は、次にＳＴＥＰ１４において、自宅Ｈの床暖房装置１の運転を停止すべき旨の指令をリモコン３に送信し、ひいては、床暖房装置１の暖房運転を停止させる。
【００７０】
また、ＳＴＥＰ１３の判断結果が否定的となる場合には、ＳＴＥＰ１１からの処理が繰り返される。
【００７１】
また、前記ＳＴＥＰ１２の判断結果が否定的である場合（端末位置が自宅位置ＰＡＨの内側にある場合）には、サーバ１０は次に、ＳＴＥＰ１５において、端末位置が自宅位置ＰＡＨの内側にある状態が所定時間Ｔ２（例えば６０分）、継続したか否かを判断する。
【００７２】
ここで、例えば、ユーザが携帯端末１２を所持せずに外出した場合、あるいは、ユーザの就寝中等において、ＳＴＥＰ１５の判断結果が肯定的となり得る。そして、特に、ユーザが携帯端末１２を所持せずに外出した場合には、該ユーザが居ない自宅Ｈの床暖房装置１の運転を継続することは、エネルギー消費の無駄となる。
【００７３】
そこで、ＳＴＥＰ１５の判断結果が肯定的になる場合には、サーバ１０は、次にＳＴＥＰ１６において、現在時刻が、ユーザの就寝中とみなし得る所定の時間帯（例えば２２：００〜０６：００の時間帯）の時刻であるか否かを判断する。なお、該所定の時間帯は、ユーザが任意の所望の時間帯を、サーバ１０に対して事前に登録しておくことができるようにしてもよい。
【００７４】
そして、ＳＴＥＰ１６の判断結果が肯定的である場合（現在時刻が所定の時間帯の時刻である場合）には、ユーザが床暖房装置１の運転の継続を望んでいる可能性が高いので、サーバ１０は、ＳＴＥＰ１９において、床暖房装置１の運転（暖房運転）を継続すべき旨の指令をリモコン３に送信する。
【００７５】
このとき、当該指令を受信したリモコン３は、当該指令を制御装置２ａに送信する。これに応じて、制御装置２ａは、床暖房装置１の暖房運転を継続させる。なお、ＳＴＥＰ１９では、サーバ１０からリモコン３への上記指令の送信を省略してもよい。
【００７６】
一方、ＳＴＥＰ１６の判断結果が否定的である場合（現在時刻が、昼間の時間帯の時刻である場合等、前記所定の時間帯の時刻でない場合）には、サーバ１０は、次にＳＴＥＰ１７において、携帯端末１２のユーザが自宅Ｈ内に居るか否かを確認するための所定の報知出力を発生すべき旨の指令をリモコン３に送信する。
【００７７】
このとき、当該指令を受信したリモコン３は、上記所定の報知出力としての音声又は警報音を発音部３ｂから出力する。また、この場合、リモコン３は、当該報知出力が、ユーザが自宅Ｈ内に居るか否かを確認するためのものであること、並びに、当該報知出力に対してユーザがどのような対応をすべきかの情報を、発音部３ｂからの音声、あるいは、表示部３ａでの表示により出力する。
【００７８】
リモコン３は、上記報知出力の発生後、所定時間Ｔ３（例えば５分）内に、所定の操作（報知出力に対する応答操作）がリモコン３の所定の操作スイッチ３ｃ１でなされたか否かをＳＴＥＰ１８で判断する。
【００７９】
この場合、所定時間Ｔ３内に、当該所定の操作がなされない場合には、ユーザが携帯端末１２を自宅Ｈに置いたまま、外出した可能性が高い。
【００８０】
そこで、ＳＴＥＰ１８の判断結果が否定的になった場合には、リモコン３は、ＳＴＥＰ１４において、制御装置２ａに床暖房装置１の運転（暖房運転）を停止すべき旨を指令する。これに応じて、制御装置２ａは、床暖房装置１の暖房運転を自動的に停止させる。
【００８１】
また、所定時間Ｔ３内に、当該所定の操作がなされた場合には、ユーザが自宅Ｈに居る状況である。そこで、ＳＴＥＰ１８の判断結果が肯定的になった場合には、リモコン３は、ＳＴＥＰ１９において、床暖房装置１の運転（暖房運転）を継続すべき旨の指令を制御装置２ａに送信する。これに応じて、制御装置２ａは、床暖房装置１の暖房運転を継続させる。なお、この場合のＳＴＥＰ１９では、リモコン３から制御装置２ａへの上記指令の送信を省略してもよい。
【００８２】
また、前記ＳＴＥＰ１５の判断結果が否定的となる場合には、ＳＴＥＰ１１からの処理が繰り返される。
【００８３】
床暖房装置１の運転中においては、携帯端末１２の位置情報に応じた床暖房装置１の作動は上記の如く実行される。
【００８４】
補足すると、以上の説明では、図３及び図４のフローチャートの処理の多くをサーバ１０が実行するものとして説明した。ただし、図３及び図４のフローチャートの処理のうち、サーバ１０が実行するものとして説明した処理の一部を、床暖房装置１のリモコン３又は制御装置２ａで実行するようにしてもよい。
【００８５】
以上説明した実施形態によれば、携帯端末１２を所持したユーザが、床暖房装置１の運転中に外出した場合には、該ユーザが自宅周辺領域ＡＲＨの外側に移動した場合だけでなく、散歩等で、ユーザが自宅外周辺領域（自宅周辺領域ＡＲＨのうちの自宅位置ＰＡＨの外側の領域）に所定時間Ｔ１、継続的に位置した場合にも、床暖房装置１の運転を自動的に停止させることができる。それにより、床暖房装置１による無駄なエネルギー消費を削減できる。
【００８６】
さらに、ユーザの就寝時間帯等の所定の時間帯を除いて、携帯端末１２が自宅位置ＰＡＨにある状態が所定時間Ｔ２、継続した場合に、リモコン３で発生した報知出力に応じた所定の操作がなされない場合にも、床暖房装置１の運転が自動的に停止される。このため、ユーザが、床暖房装置１の運転中に、携帯端末１２を所持することなく（自宅Ｈに携帯端末１２を置いたまま）、外出したような場合に、床暖房装置１の運転を自動的に停止させることができる。それにより、床暖房装置１による無駄なエネルギー消費を削減できる。
【００８７】
なお、本発明は、上記実施形態の態様に限られるものではなく、他の態様を採用することもできる。例えば、前記実施形態では、前記ＳＴＥＰ１７での報知出力を、リモコン３で発生させるようにしたが、サーバ１０から携帯端末１２への指令によって、該携帯端末１２で報知出力を発生させるようにしてもよい。この場合、該報知出力は、聴覚的もしくは視覚的な報知に限らず、携帯端末１２の振動等による報知出力であってもよい。
【００８８】
また、前記実施形態では、床暖房装置１の運転中に、携帯端末１２を所持したユーザが、自宅周辺領域ＡＲＨの内側から外側に移動した場合に、直ちに、床暖房装置１の運転を停止するようにすると共に、床暖房装置１の運転停止中に、携帯端末１２を所持したユーザが、自宅周辺領域ＡＲＨの外側から内側に移動した場合に、直ちに、携帯端末１２を床暖房装置１の運転を開始するようにした。
【００８９】
ただし、携帯端末１２を所持したユーザが、自宅周辺領域ＡＲＨの境界付近に位置するときに、携帯端末１２の位置情報の誤差等に起因して、床暖房装置１の運転の開始及び停止が繰り返されてしまうのを防止するために次のようにしてもよい。
【００９０】
すなわち、床暖房装置１の運転中においては、端末位置が、自宅周辺領域ＡＲＨの内側から外側に移動してから、該端末位置が自宅周辺領域ＡＲＨの外側にある状態が所定時間Ｔ４、継続したときに、床暖房装置１の運転を停止するようにしてもよい。同様に、床暖房装置１の運転停止中においては、端末位置が、自宅周辺領域ＡＲＨの外側から内側に移動してから、該端末位置が自宅周辺領域ＡＲＨの内側にある状態が所定時間Ｔ４、継続したときに、床暖房装置１の運転を開始するようにしてもよい。
【００９１】
なお、この場合、上記所定時間Ｔ４は、前記ＳＴＥＰ１３における所定時間Ｔ１よりも短い時間に設定しておく。
【００９２】
また、前記実施形態では、制御対象の住宅設備機器として、温水式の床暖房装置１を例示した。ただし、本発明における住宅設備機器は、温水式の床暖房装置１に限らず、電熱式の床暖房装置、温風暖房器、エアコン、換気装置等であってもよい。さらに、該住宅設備機器は、複数の機器であってもよい。
【符号の説明】
【００９３】
１…床暖房装置（住宅設備機器）、２ａ…制御装置（制御部）、３…リモコン（制御部）、３ｂ…発音部（報知部）、３ｃ１…操作スイッチ（操作部）、１０…サーバ（制御部）、１２…携帯端末。
【図１】
2019041157.tif 000003
【図２】
2019041157.tif 000004
【図３】
2019041157.tif 000005
【図４】
2019041157.tif 000006